(57)【要約】【課題】リモコンのみを使用して、ユーザーが所望のリンク及び入力窓を容易に選択できるようなウェブ文書を表示できるＣＥ機器、及び方法並びにコンピュータで実行させるためのプログラムを記録したコンピュータで読み取り可能な記録媒体を提供する。【解決手段】ウェブ文書の構成要素を所定の標識で表示することを要請する信号を受信するステップと、及び受信如何によって、ウェブ文書上に存在する構成要素を所定の標識で表示するステップとを含むことを特徴とするウェブ文書の表示方法である。これにより、リモコンのみを使用して、ユーザーが所望のリンク及び入力窓を容易に選択できる。【選択図】図３
2006031713.tif 000002
【特許請求の範囲】
【請求項１】
（ａ）ウェブ文書の構成要素を所定の標識で表示することを要請する信号を受信するステップと、
（ｂ）前記（ａ）ステップでの受信如何によって、前記ウェブ文書上に存在する構成要素を前記所定の標識で表示するステップと、
を含むことを特徴とするウェブ文書の表示方法。
【請求項２】
前記（ｂ）ステップは、前記ウェブ文書を表示し、前記表示されたウェブ文書とは別個の窓に前記構成要素を数字または文字標識で表示することを特徴とする請求項１に記載のウェブ文書の表示方法。
【請求項３】
前記（ｂ）ステップは、前記別個の窓内で前記構成要素の名称順番に、前記構成要素が前記ウェブ文書に挿入された順番に、または前記構成要素の位置順番に前記構成要素を整列して表示することを特徴とする請求項１に記載のウェブ文書の表示方法。
【請求項４】
前記（ｂ）ステップは、前記ウェブ文書上に存在する構成要素の位置に対応する位置に、前記所定の標識で表示することを特徴とする請求項１に記載のウェブ文書の表示方法。
【請求項５】
前記構成要素は、前記ウェブ文書を提供するウェブサイトと異なるウェブサイトのアドレスを表すリンクであることを特徴とする請求項１に記載のウェブ文書の表示方法。
【請求項６】
前記表示されたリンクのうち、ユーザーにより選択されたリンクの標識が表すウェブサイトに接続するステップをさらに含むことを特徴とする請求項５に記載のウェブ文書の表示方法。
【請求項７】
前記構成要素は、ユーザーから所定の作業処理に必要な情報を入力されるための入力窓であることを特徴とする請求項１に記載のウェブ文書の表示方法。
【請求項８】
前記表示された入力窓のうち、ユーザーにより選択された入力窓に入力された情報に関する作業を処理するステップをさらに含むことを特徴とする請求項７に記載のウェブ文書の表示方法。
【請求項９】
ウェブ文書の構成要素を所定の標識で表示することを要請する信号を受信する信号受信部と、
前記信号受信部での受信如何によって、前記ウェブ文書上に存在する構成要素を前記所定の標識で表示する表示部と、
を備えることを特徴とするＣＥ機器。
【請求項１０】
前記構成要素は、前記ウェブ文書を提供するウェブサイトと異なるウェブサイトのアドレスを表すリンク、またはユーザーから所定の作業処理に必要な情報を入力されるための入力窓であることを特徴とする請求項９に記載のＣＥ機器。
【請求項１１】
ウェブ文書の構成要素を所定の標識で表示することを要請する信号を受信するステップと、
前記受信如何によって、前記ウェブ文書上に存在する構成要素を前記所定の標識で表示するステップと、
を含むことを特徴とするウェブ文書の表示方法をコンピュータで実行させるためのプログラムを記録したコンピュータで読み取り可能な記録媒体。
【請求項１２】
（ａ）ウェブ文書の構成要素を所定の標識で表示することを要請する信号を生成するステップと、
（ｂ）前記生成された信号を送信するステップと、
を含むことを特徴とする遠隔制御方法。
【請求項１３】
前記構成要素は、前記ウェブ文書を提供するウェブサイトと異なるウェブサイトのアドレスを表すリンクであることを特徴とする請求項１２に記載の遠隔制御方法。
【請求項１４】
前記（ａ）ステップは、前記リンクを前記所定の標識で表示することを要請するリンクキーがユーザーにより選択されれば、前記リンクを前記所定の標識で表示することを要請するリンクキー信号を生成することを特徴とする請求項１３に記載の遠隔制御方法。
【請求項１５】
前記構成要素は、ユーザーから所定の作業処理に必要な情報を入力されるための入力窓であることを特徴とする請求項１２に記載の遠隔制御方法。
【請求項１６】
前記（ａ）ステップは、前記入力窓を前記所定の標識で表示することを要請する入力キーがユーザーにより選択されれば、前記入力窓を前記所定の標識で表示することを要請する入力キー信号を生成することを特徴とする請求項１５に記載の遠隔制御方法。
【請求項１７】
ウェブ文書の構成要素を所定の標識で表示することを要請する信号を生成する信号生成部と、
前記信号生成部で生成された信号を送信する信号送信部と、
を備えることを特徴とするリモコン。
【請求項１８】
前記構成要素は、前記ウェブ文書を提供するウェブサイトと異なるウェブサイトのアドレスを表すリンク、またはユーザーから所定の作業処理に必要な情報を入力されるための入力窓であることを特徴とする請求項１７に記載のリモコン。
【請求項１９】
ウェブ文書の構成要素を所定の標識で表示することを要請する信号を生成するステップと、
前記生成された信号を送信するステップと、
を含むことを特徴とする遠隔制御方法をコンピュータで実行させるためのプログラムを記録したコンピュータで読み取り可能な記録媒体。
【発明の詳細な説明】
【技術分野】
【０００１】
本発明は、ウェブ文書表示装置に係り、特に、ウェブ文書を表示できるＣＥ（Ｃｏｎｓｕｍｅｒ Ｅｌｅｃｔｒｏｎｉｃｓ）機器に関する。
【背景技術】
【０００２】
一般的に、ウェブ文書は、複数のリンク及び入力窓から構成されている。一般的なコンピュータ環境では、ウェブ文書のリンク及び入力窓をマウスのような入力装置を使用して容易に選択できる。しかし、ＣＥ機器環境では、ＣＥ機器の使用目的、使用階層などを考慮して、マウスのような入力装置は支援されず、リモコンのみが支援される。したがって、従来のＣＥ機器環境では、リモコンのみを使用してウェブ文書のリンク及び入力窓を選択せねばならないため、ユーザーが所望のリンク及び入力窓を容易に選択できないという問題点があった。このため、結局、ウェブサーフィンなどウェブサイトに関連した作業を行えないという問題点があった。
【特許文献１】特開２００４−３０１４５号公報
【発明の開示】
【発明が解決しようとする課題】
【０００３】
本発明が解決しようする課題は、リモコンのみを使用して、ユーザーが所望のリンク及び入力窓を容易に選択できる装置及び方法を提供するところにある。また、前記の方法をコンピュータで実行させるためのプログラムを記録したコンピュータで読み取り可能な記録媒体を提供するところにある。
【課題を解決するための手段】
【０００４】
前記課題を解決するための本発明によるウェブ文書の表示方法は、ウェブ文書の構成要素を所定の標識で表示することを要請する信号を受信するステップと、及び前記受信如何によって、前記ウェブ文書上に存在する構成要素を前記所定の標識で表示するステップとを含む。
【０００５】
前記課題を解決するための本発明によるＣＥ機器は、ウェブ文書の構成要素を所定の標識で表示することを要請する信号を受信する信号受信部と、及び前記信号受信部での受信如何によって、前記ウェブ文書上に存在する構成要素を前記所定の標識で表示する表示部とを備える。
【０００６】
前記課題を解決するための本発明による遠隔制御方法は、ウェブ文書の構成要素を所定の標識で表示することを要請する信号を生成するステップと、及び前記生成された信号を送信するステップとを含むことを特徴とする。
【０００７】
前記課題を解決するための本発明によるリモコンは、ウェブ文書の構成要素を所定の標識で表示することを要請する信号を生成する信号生成部と、及び前記信号生成部で生成された信号を送信する信号送信部とを備えることを特徴とする。
【０００８】
前記他の課題を解決するために、本発明は、前記のウェブ文書の表示方法をコンピュータで実行させるためのプログラムを記録したコンピュータで読み取り可能な記録媒体を提供する。
【０００９】
前記他の課題を解決するために、本発明は、前記の遠隔制御方法をコンピュータで実行させるためのプログラムを記録したコンピュータで読み取り可能な記録媒体を提供する。
【発明の効果】
【００１０】
本発明によれば、リモコンにリンクキー及び入力キーを別途に採用することによって、リモコンのみを使用してユーザーが所望のリンク及び入力窓を容易に選択できる。さらに、ウェブサーフィン等ウェブサイトに関連した作業を自由に行える。
【発明を実施するための最良の形態】
【００１１】
以下では、図面を参照して本発明の望ましい実施形態を詳細に説明する。
【００１２】
図１は、本発明の望ましい一実施形態によるリモコンの構成図である。
【００１３】
図１に示すように、本実施形態によるリモコンは、リモコンキーパネル１１、リモコンキー信号生成部１２、リモコンキー信号送信部１３、及び赤外線発光部１４から構成される。
【００１４】
図２は、本発明の望ましい一実施形態によるリモコンキーパネルを示す図面である。
【００１５】
図２に示すように、本実施形態によるリモコンキーパネルは、一般キー１１１、リンクキー１１２及び入力キー１１３から構成される。本実施形態において、一般キー１１１は、数字及び文字混合キー２１、移動キー２２、その他のキー２３等から構成される。ユーザーは、リモコンキーパネル１１上の一般キー１１１、リンクキー１１２及び入力キー１１３のうちいずれか一つを押すことによって、遠隔地にあるＣＥ機器を制御できる。例えば、ユーザーは、移動キー２２を押すことによって、遠隔地にあるＣＥ機器に表示される画面をスクロールできる。
【００１６】
本実施形態において、現在のリモコンのサイズを考慮して数字及び文字が混合されたキーを適用したが、数字及び文字が分離されたキーを適用可能であるということを、当業者であれば理解できるであろう。
【００１７】
リモコンキー信号生成部１２は、一般キー信号生成部１２１、リンクキー信号生成部１２２及び入力キー信号生成部１２３から構成される。
【００１８】
一般キー信号生成部１２１は、ウェブサイトアドレスに該当する一般キー１１１がユーザーにより押されれば、ウェブサイトアドレスを含む一般キー信号を生成する。本実施形態及び以下の実施形態において、ウェブサイトアドレスは、一般的にＵＲＬ（Ｕｎｉｆｏｒｍ Ｒｅｓｏｕｒｃｅ Ｌｏｃａｔｏｒ）をいう。
【００１９】
すなわち、ユーザーがＵＲＬに該当する一般キー１１１を押せば、一般キー信号生成部１２１は、この一般キー１１１を通じて入力されたＵＲＬを含む一般キー信号を生成する。例えば、ユーザーが“ｗｗｗ．ｃｎｎ．ｃｏｍ”に該当するＷキー３回、Ｃキー、Ｎキー２回、Ｃキー、Ｏキー及びＭキーを押せば、一般キー信号生成部１２１は、Ｗキー３回、Ｃキー、Ｎキー２回、Ｃキー、Ｏキー及びＭキーを通じて入力された“ｗｗｗ．ｃｎｎ．ｃｏｍ”を含む一般キー信号を生成する。
【００２０】
また、一般キー信号生成部１２１は、ウェブ文書のリンクの標識のうち、いずれか一つのリンクの標識に該当する一般キーがユーザーにより選択されれば、このリンクの標識を含む一般キー信号を生成する。本実施形態及び以下の実施形態において、ウェブ文書は、ＨＴＭＬ（ＨｙｐｅｒＴｅｘｔ Ｍａｒｋｕｐ Ｌａｎｇｕａｇｅ）で作成された文書、すなわちＨＴＭＬ文書をいう。ＨＴＭＬ文書のリンクは、＜Ａ ＨＲＥＦ＝“ＵＲＬ”＞などの形式で作成される。また、リンクとは、前記ウェブ文書を提供するウェブサイトと異なるウェブサイトのアドレスを表すものであり、現在のウェブサイトから他のウェブサイトに移動するのに使われる。本実施形態及び以下の実施形態において、標識は、数字標識となることもあり、文字標識となることもあり、複数のリンクを互いに区別可能にする他の標識となることもある。
【００２１】
すなわち、ユーザーがリンクの標識に該当する一般キー１１１を押せば、一般キー信号生成部１２１は、この一般キー１１１を通じて入力されたリンクの標識を含む一般キー信号を生成する。例えば、ウェブ文書の１０個のリンクの標識として１から１０までの数字を使用すれば、ユーザーは、１から１０までの数字キーのうちいずれか一つのキーを押さねばならない。この際、ユーザーが‘３’キーを押せば、一般キー信号生成部１２１は、‘３’キーを通じて入力されたリンクの標識を含む一般キー信号を生成する。
【００２２】
また、一般キー信号生成部１２１は、ウェブ文書の入力窓の標識のうち、いずれか一つの入力窓の標識に該当する一般キーがユーザーにより選択されれば、この入力窓の標識を含む一般キー信号を生成する。本実施形態及び以下の実施形態において、ＨＴＭＬ文書の入力窓は、＜ＩＮＰＵＴ ＴＹＰＥ＝ＴＥＸＴ＞などの形式で作成される。また、入力窓とは、ユーザーから所定の作業処理に必要な情報を入力されるための窓をいう。
【００２３】
すなわち、ユーザーが入力窓の標識に該当する一般キー１１１を押せば、一般キー信号生成部１２１は、この一般キー１１１を通じて入力された入力窓の標識を含む一般キー信号を生成する。例えば、ウェブ文書の１０個のリンクの標識として１から１０までの数字を使用すれば、ユーザーは、１から１０までの数字キーのうちいずれか一つのキーを押さねばならない。この際、ユーザーが‘３’キーを押せば、一般キー信号生成部１２１は、‘３’キーを通じて入力された入力窓の標識を含む一般キー信号を生成する。
【００２４】
また、一般キー信号生成部１２１は、ウェブ文書の入力窓のうち、活性化された入力窓についての入力情報に該当する一般キーがユーザーにより選択されれば、この入力情報を含む一般キー信号を生成する。本実施形態及び以下の実施形態において、活性化された入力窓は、一般的に入力窓内のカーソルが点滅することによって自身が活性化されたことを表す。ユーザーは、カーソル点滅状態から入力窓に入力が可能であるということを認識する。ここで、入力情報は、ユーザー認証を受けるためのユーザー情報、ＣＥ機器の環境を設定するための環境設定情報などをいう。
【００２５】
すなわち、ユーザーがユーザー情報または環境設定情報に該当する一般キー１１１を押せば、一般キー信号生成部１２１は、この一般キー１１１を通じて入力されたユーザー情報または環境設定情報を含む一般キー信号を生成する。例えば、ユーザーがユーザーＩＤ “ＡＢＣ”に該当する‘Ａ’キー、‘Ｂ’キー、‘Ｃ’キーを押せば、一般キー信号生成部１２１は、‘Ａ’キー、‘Ｂ’キー、‘Ｃ’キーを通じて入力されたユーザーＩＤを含む一般キー信号を生成する。
【００２６】
リンクキー信号生成部１２２は、ウェブ文書のリンクを標識で表示することを要請するリンクキーがユーザーにより選択されれば、リンクを標識で表示することを要請するリンクキー信号を生成する。
【００２７】
入力キー信号生成部１２３は、ウェブ文書の入力窓を標識で表示することを要請する入力キーがユーザーにより選択されれば、入力窓を標識で表示することを要請する入力キー信号を生成する。
【００２８】
リモコンキー信号送信部１３は、一般キー信号送信部１３１、リンクキー信号送信部１３２及び入力キー信号送信部１３３から構成される。
【００２９】
一般キー信号送信部１３１は、一般キー信号生成部１２１で生成された一般キー信号を、赤外線発光部１４を通じて赤外線信号の形態で送信する。
【００３０】
リンクキー信号送信部１３２は、リンクキー信号生成部１２２で生成されたリンクキー信号を、赤外線発光部１４を通じて赤外線形態に送信する。
入力キー信号送信部１３３は、入力キー信号生成部１２３で生成された入力キー信号を、赤外線発光部１４を通じて赤外線信号の形態で送信する。
【００３１】
本実施形態及び以下の実施形態において、リモコン信号、すなわち一般キー信号、リンクキー信号、入力キー信号は、現在のリモコン通信方式を考慮して赤外線信号の形態で送信されると記述したが、将来にＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１無線通信またはブルートゥース通信などにリモコンの通信方式が変更される場合に、他の形態で送信されることもできるということを当業者であれば理解できるであろう。
【００３２】
図３は、本発明の望ましい一実施形態によるＣＥ機器の構成図である。
【００３３】
図３に示すように、本実施形態によるＣＥ機器は、赤外線受光部３１、リモコンキー信号受信部３２、ウェブサイト接続部３３、ネットワークモジュール３４、ウェブ文書ダウンロード部３５、ウェブ文書パーシング部３６、画像情報生成部３７、表示部３８、リンク表示情報生成部３９、入力表示情報生成部３１０、入力窓活性化部３１１、及び作業処理部３１２から構成される。
【００３４】
リモコンキー信号受信部３２は、一般キー信号受信部３２１、リンクキー信号受信部３２２、及び入力キー信号受信部３２３から構成される。
【００３５】
一般キー信号受信部３２１は、赤外線受光部３１を通じて、赤外線信号の形態でウェブサイトアドレスを含む一般キー信号を受信する。また、一般キー信号受信部３２１は、赤外線受光部３１を通じて、赤外線信号の形態でユーザーにより選択されたリンクの標識を含む一般キー信号を受信する。
【００３６】
また、一般キー信号受信部３２１は、赤外線受光部３１を通じて、赤外線信号の形態でユーザーにより選択された入力窓の標識を含む一般キー信号を受信する。また、一般キー信号受信部３２１は、赤外線受光部３１を通じて、赤外線信号の形態でウェブ文書の入力窓のうち、活性化された入力窓についての入力情報を含む一般キー信号を受信する。
【００３７】
リンクキー信号受信部３２２は、赤外線受光部３１を通じて、赤外線信号の形態でウェブ文書のリンクを標識で表示することを要請するリンクキー信号を受信する。ただし、リンクキー信号受信部３２２は、表示部３８で表示されたウェブ文書を認識したユーザーによりリンクキー１１２が選択されれば、ウェブ文書のリンクを標識で表示することを要請するリンクキー信号を受信する。
【００３８】
入力キー信号受信部３２３は、赤外線受光部３１を通じて、赤外線信号の形態でウェブ文書の入力窓を標識で表示することを要請する入力キー信号を受信する。ただし、入力キー信号受信部３２３は、表示部３８で表示されたウェブ文書を認識したユーザーにより入力キー１１３が選択されれば、ウェブ文書の入力窓を標識で表示することを要請する入力キー信号を受信する。
【００３９】
ウェブサイト接続部３３は、一般キー信号受信部３２１にウェブサイトアドレスを含む一般キー信号が受信されれば、この一般キー信号に含まれたウェブサイトアドレスに該当するウェブサイトに接続する。例えば、ウェブサイト接続部３３は、“ｗｗｗ．ｃｎｎ．ｃｏｍ”を含む一般キー信号が受信されれば、“ｗｗｗ．ｃｎｎ．ｃｏｍ”に該当するウェブサイトに接続する。
【００４０】
また、ウェブサイト接続部３３は、表示部３８で表示されたリンクの標識を認識したユーザーによりいずれか一つのリンクの標識が選択されれば、すなわち一般キー信号受信部３２１に、ユーザーにより選択されたリンクの標識を含む一般キー信号が受信されれば、この一般キー信号に含まれたリンクの標識が表すウェブサイトに接続する。例えば、ウェブサイト接続部３３は、リンクの標識‘３’を含む一般キー信号が受信されれば、リンクの標識‘３’が表すウェブサイト“ｗｗｗ．ｃｎｎ．ｃｏｍ／ＴＥＣＨ／”に接続する。本実施形態において、ウェブサイト接続部３３は、ネットワークモジュール３４の支援を受けて、インターネットを経由してウェブサイトに接続する。
【００４１】
ウェブ文書ダウンロード部３５は、ウェブサイト接続部３３で接続されたウェブサイトからウェブ文書をダウンロードする。例えば、ウェブ文書ダウンロード部３５は、ウェブサイト“ｗｗｗ．ｃｎｎ．ｃｏｍ”からＣＮＮインターネット新聞をダウンロードする。本実施形態において、ウェブサイトダウンロード部３５は、ネットワークモジュール３４の支援を受けて、インターネットを経由してウェブサイトからウェブ文書をダウンロードする。
【００４２】
ウェブ文書パーシング部３６は、ウェブ文書ダウンロード部３５でダウンロードされたウェブ文書をパーシングする。本実施形態において、ウェブ文書は、ＨＴＭＬ文書であるので、ウェブ文書パーシング部３６は、ＨＴＭＬパーサである。すなわち、ウェブ文書パーシング部３６は、ウェブ文書ダウンロード部３５でダウンロードされたＨＴＭＬ文書をＨＴＭＬ文法によってパーシングする。
【００４３】
画像情報生成部３７は、ウェブ文書パーシング部３６でパーシングされた結果からウェブ文書の画像情報を生成する。本実施形態において、ウェブ文書は、ＨＴＭＬ文書であるので、画像情報生成部３７は、＜ＩＭＧ ＳＲＣ＝“イメージファイルの経路”＞などがパーシングされた結果から画像情報を生成する。
【００４４】
表示部３８は、画像情報生成部３７で生成された画像情報に基づいて、ウェブ文書の画像を表示する。例えば、表示部３８は、ＣＮＮインターネット新聞の画像を表示する。
【００４５】
また、表示部３８は、リンク表示情報生成部３９で生成されたリンク表示情報に基づいて、ウェブ文書のリンクを標識で表示する。本実施形態によれば、表示部３８がウェブ文書のリンクを標識で表示する方式には、二つの方式がある。
【００４６】
図４は、本発明の望ましい一実施形態による第１リンク表示方式を示す図面である。
【００４７】
図４に示すように、第１リンク表示方式によって、表示部３８は、既に表示されたウェブ文書の画像とは別個の窓にウェブ文書のリンクを数字標識で表示する。図４では数字標識を使用したが、文字標識やその他の標識を使用できる。
【００４８】
この際、表示部３８は、図４に示したように、既に表示されたウェブ文書の画像から分離された窓にウェブ文書のリンクを数字標識で表示することもできるが、既に表示されたウェブ文書の画像に重なる窓にウェブ文書のリンクを数字標識で表示することもできる。また、表示部３８は、図４に示したように、別個の窓内でリンクの位置順番にリンクを整列して表示することもできるが、リンクの名称順番に、またはリンクがウェブ文書に挿入された順番にリンクを整列して表示することもできる。ここで、どの方式でリンクを整列して表示するかは、ユーザーの選択による。
【００４９】
図５は、本発明の望ましい一実施形態による第２リンク表示方式を示す図面である。
【００５０】
図５に示すように、第２リンク表示方式によって、表示部３８は、ウェブ文書のリンクの位置に対応する位置に数字標識で表示する。図５では数字標識を使用したが、文字標識やその他の標識を使用できる。
【００５１】
このように、ユーザーは、図４または図５に示した画面を見ていずれか一つの数字を選択することによって、容易にユーザーが所望のリンクを選択できる。
【００５２】
また、表示部３８は、入力表示情報生成部３９で生成された入力表示情報に基づいて、ウェブ文書の入力窓を標識で表示する。本実施形態によれば、表示部３８がウェブ文書の入力窓を標識で表示する方式には、二つの方式がある。
【００５３】
図６は、本発明の望ましい一実施形態による第１入力表示方式を示す図面である。
【００５４】
図６に示すように、第１入力表示方式によって、表示部３８は、既に表示されたウェブ文書の画像とは別個の窓にウェブ文書の入力窓を数字標識で表示する。図６では数字標識を使用したが、文字標識やその他の標識を使用できる。
【００５５】
この際、表示部３８は、図６に示したように、既に表示されたウェブ文書の画像から分離された窓にウェブ文書の入力窓を数字標識で表示することもできるが、既に表示されたウェブ文書の画像に重なる窓にウェブ文書の入力窓を数字標識で表示することもできる。また、表示部３８は、図６に示したように、別個の窓内でリンクの位置順番にリンクを整列して表示することもできるが、リンクの名称順番に、またはリンクがウェブ文書に挿入された順番にリンクを整列して表示することもできる。ここで、どの方式でリンクを整列して表示するかは、ユーザーの選択による。
【００５６】
図７は、本発明の望ましい一実施形態による第２入力表示方式を示す図面である。
【００５７】
図７に示すように、第２入力表示方式によって、表示部３８は、ウェブ文書の入力窓の位置に対応する位置に数字標識で表示する。図７では数字標識を使用したが、文字標識やその他の標識を使用できる。
【００５８】
このように、ユーザーは、図６または図７に示した画面を見ていずれか一つの数字を選択することによって、容易にユーザーが所望の入力窓を選択できる。
【００５９】
リンク表示情報生成部３９は、リンクキー信号受信部３２２にリンクキー信号が受信されれば、ウェブ文書パーシング部３６でパーシングされた結果から、ウェブ文書のリンクを標識で表示するためのリンク表示情報を生成する。
【００６０】
入力表示情報生成部３１０は、入力キー信号受信部３２３に入力キー信号が受信されれば、ウェブ文書パーシング部３６でパーシングされた結果から、ウェブ文書の入力窓を標識で表示するための入力表示情報を生成する。
【００６１】
入力窓活性化部３１１は、表示部３８で表示された入力窓の標識を認識したユーザーによりいずれか一つの入力窓の標識が選択されれば、すなわち一般キー信号受信部３２１に、ユーザーにより選択された入力窓の標識を含む一般キー信号が受信されれば、この一般キー信号に含まれた入力窓の標識が表す入力窓を活性化する。例えば、ウェブサイト接続部３３は、リンクの標識‘３’を含む一般キー信号が受信されれば、リンクの標識‘３’が表す入力窓の状態を入力可能状態に転換し、入力窓内のカーソルを点滅させる。
【００６２】
作業処理部３１２は、入力窓活性化部３１１で活性化された入力窓を認識したユーザーにより作業処理に必要な情報を入力されれば、すなわち一般キー信号受信部３２１に活性化された入力窓についての入力情報を含む一般キー信号が受信されれば、ユーザーから入力された情報に関する作業を処理する。例えば、一般キー信号受信部３２１にユーザーＩＤ “ＡＢＣ”を含む一般キー信号が受信されれば、作業処理部３１２は、ユーザーＩＤ “ＡＢＣ”を使用してユーザー認証作業を処理する。
【００６３】
図８及び図９は、本発明の望ましい一実施形態による遠隔制御方法のフローチャートである。
【００６４】
図８及び図９に示すように、本実施形態による遠隔制御方法は、次のようなステップから構成される。本遠隔制御方法は、図１に示したリモコンで時系列的に処理されるステップから構成される。したがって、以下に省略された内容であっても、図１に示したリモコンに関して記述された内容は、本遠隔制御方法にも適用される。
【００６５】
ステップ８１で、リモコンは、一般キーがユーザーにより選択されたかを判断する。
ステップ８１で選択されたと判断されれば、ステップ８２で、リモコンは、ウェブサイトアドレスに該当する一般キーがユーザーにより選択されたかを判断する。
【００６６】
ステップ８２で選択されたと判断されれば、ステップ８３で、リモコンは、ウェブサイトアドレスを含む一般キー信号を生成し、生成された一般キー信号を送信する。
【００６７】
ステップ８２で選択されていないと判断されれば、ステップ８４で、リモコンは、ウェブ文書のリンクの標識のうち、いずれか一つのリンクの標識に該当する一般キーがユーザーにより選択されたかを判断する。
【００６８】
ステップ８４で選択されたと判断されれば、ステップ８５で、リモコンは、このリンクの標識を含む一般キー信号を生成し、生成された一般キー信号を送信する。
【００６９】
ステップ８４で選択されていないと判断されれば、ステップ８６で、リモコンは、ウェブ文書の入力窓の標識のうち、いずれか一つの入力窓の標識に該当する一般キーがユーザーにより選択されたかを判断する。
【００７０】
ステップ８６で選択されたと判断されれば、ステップ８７で、リモコンは、この入力窓の標識を含む一般キー信号を生成し、生成された一般キー信号を送信する。
【００７１】
ステップ８６で選択されていないと判断されれば、ステップ８８で、リモコンは、ウェブ文書の入力窓のうち、活性化された入力窓についての入力情報に該当する一般キーがユーザーにより選択されたかを判断する。
【００７２】
ステップ８８で選択されたと判断されれば、ステップ８９で、リモコンは、この入力情報を含む一般キー信号を生成し、生成された一般キー信号を送信する。
【００７３】
ステップ８８で選択されていないと判断されれば、ステップ８１０で、リモコンは、前記の情報以外の情報を含む一般キー信号を生成し、生成された一般キー信号を送信する。
【００７４】
ステップ８１で選択されていないと判断されれば、ステップ９１で、リモコンは、ウェブ文書のリンクを標識で表示することを要請するリンクキーがユーザーにより選択されたかを判断する。
【００７５】
ステップ９１で選択されたと判断されれば、ステップ９２で、リモコンは、リンクを標識で表示することを要請するリンクキー信号を生成し、生成されたリンクキー信号を送信する。
【００７６】
ステップ９１で選択されていないと判断されれば、ステップ９３で、リモコンは、ウェブ文書の入力窓を標識で表示することを要請する入力キーがユーザーにより選択されたかを判断する。
【００７７】
ステップ９３で選択されたと判断されれば、ステップ９４で、リモコンは、入力窓を標識で表示することを要請する入力キー信号を生成し、生成された入力キー信号を送信する。
【００７８】
図１０及び図１１は、本発明の望ましい一実施形態によるウェブ文書の表示方法のフローチャートである。
【００７９】
図１０及び図１１に示すように、本実施形態によるウェブ文書の表示方法は、次のようなステップから構成される。本ウェブ文書の表示方法は、図３に示したＣＥ機器で時系列的に処理されるステップから構成される。したがって、以下に省略された内容であっても、図３に示したＣＥ機器に関して記述された内容は、本ウェブ文書の表示方法にも適用される。
【００８０】
ステップ１０１で、ＣＥ機器は、一般キー信号を受信したかを判断する。
【００８１】
ステップ１０１で受信したと判断されれば、ステップ１０２で、ＣＥ機器は、ウェブサイトアドレスを含む一般キー信号を受信したかを判断する。
【００８２】
ステップ１０２で受信したと判断されれば、ステップ１０３で、ＣＥ機器は、この一般キー信号に含まれたウェブサイトアドレスに該当するウェブサイトに接続する。
【００８３】
ステップ１０４で、ＣＥ機器は、ステップ１０３で接続されたウェブサイトからウェブ文書をダウンロードする。
【００８４】
ステップ１０５で、ＣＥ機器は、ステップ１０４でダウンロードされたウェブ文書をパーシングする。
【００８５】
ステップ１０６で、ＣＥ機器は、ステップ１０５でパーシングされた結果からウェブ文書の画像情報を生成する。
【００８６】
ステップ１０７で、ＣＥ機器は、ステップ１０６で生成された画像情報に基づいてウェブ文書の画像を表示する。
【００８７】
ステップ１０２で受信していないと判断されれば、ステップ１０８で、ＣＥ機器は、ユーザーにより選択されたリンクの標識を含む一般キー信号を受信したかを判断する。
【００８８】
ステップ１０８で受信したと判断されれば、ステップ１０９で、ＣＥ機器は、この一般キー信号に含まれたリンクの標識が表すウェブサイトに接続する。
【００８９】
ステップ１０８で受信していないと判断されれば、ステップ１０１０で、ＣＥ機器は、ユーザーにより選択された入力窓の標識を含む一般キー信号を受信したかを判断する。
【００９０】
ステップ１０１０で受信したと判断されれば、ステップ１０１１で、ＣＥ機器は、この一般キー信号に含まれた入力窓の標識が表す入力窓を活性化する。
【００９１】
ステップ１０１０で受信していないと判断されれば、ステップ１０１２で、ＣＥ機器は、ウェブ文書の入力窓のうち、活性化された入力窓についての入力情報を含む一般キー信号を受信したかを判断する。
【００９２】
ステップ１０１２で受信したと判断されれば、ステップ１０１３で、ＣＥ機器は、ユーザーから入力された情報に関する作業を処理する。
【００９３】
ステップ１０１２で受信していないと判断されれば、ステップ１０１４で、ＣＥ機器は、前記の情報以外の情報に関する作業を処理する。
【００９４】
ステップ１０１で受信していないと判断されれば、ステップ１１１で、ＣＥ機器は、ウェブ文書のリンクを標識で表示することを要請するリンクキー信号を受信したかを判断する。
【００９５】
ステップ１１１で受信したと判断されれば、ステップ１１２で、ＣＥ機器は、ステップ１０５でパーシングされた結果から、ウェブ文書のリンクを標識で表示するためのリンク表示情報を生成する。
【００９６】
ステップ１１３で、ＣＥ機器は、ステップ１１２で生成されたリンク表示情報に基づいて、ウェブ文書のリンクを標識で表示する。
【００９７】
ステップ１１１で受信していないと判断されれば、ステップ１１４で、ＣＥ機器は、ウェブ文書の入力窓を標識で表示することを要請する入力キー信号を受信したかを判断する。
【００９８】
ステップ１１４で受信したと判断されれば、ステップ１１５で、ＣＥ機器は、ステップ１０５でパーシングされた結果からウェブ文書の入力窓を標識で表示するための入力表示情報を生成する。
【００９９】
ステップ１１６で、ＣＥ機器は、ステップ１１５で生成された入力表示情報に基づいて、ウェブ文書の入力窓を標識で表示する。
【０１００】
一方、前述した本発明の実施形態は、コンピュータで実行可能なプログラムで作成可能であり、コンピュータで読み取り可能な記録媒体を利用して前記プログラムを動作させる汎用デジタルコンピュータで実現されうる。
【０１０１】
前記コンピュータで読み取り可能な記録媒体は、磁気記録媒体（例えば、ＲＯＭ（Ｒｅａｄ Ｏｎｌｙ Ｍｅｍｏｒｙ）、フロッピディスク、ハードディスク等）、光学的読み取り媒体（例えば、ＣＤ−ＲＯＭ、ＤＶＤ（Ｄｉｇｉｔａｌ Ｖｅｒｓａｔｉｌｅ Ｄｉｓｋ）等）及びキャリアウェーブ（例えば、インターネットを通じた伝送）のような記録媒体を含む。
【０１０２】
これまで、本発明について、その望ましい実施形態を中心に述べた。当業者は、本発明が、本発明の本質的な特性から逸脱しない範囲で、変形された形態に実現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれていると解釈されねばならない。
【産業上の利用可能性】
【０１０３】
本発明は、ウェブ文書を表示できるＣＥ機器に関連の技術分野に適用可能である。
【図面の簡単な説明】
【０１０４】
【図１】本発明の望ましい一実施形態によるリモコンの構成図である。
【図２】本発明の望ましい一実施形態によるリモコンキーパネルを示す図面である。
【図３】本発明の望ましい一実施形態によるＣＥ機器の構成図である。
【図４】本発明の望ましい一実施形態による第１リンク表示方式を示す図面である。
【図５】本発明の望ましい一実施形態による第２リンク表示方式を示す図面である。
【図６】本発明の望ましい一実施形態による第１入力表示方式を示す図面である。
【図７】本発明の望ましい一実施形態による第２入力表示方式を示す図面である。
【図８】本発明の望ましい一実施形態による遠隔制御方法のフローチャートである。
【図９】本発明の望ましい一実施形態による遠隔制御方法のフローチャートである。
【図１０】本発明の望ましい一実施形態によるウェブ文書の表示方法のフローチャートである。
【図１１】本発明の望ましい一実施形態によるウェブ文書表示方法のフローチャートである。
【符号の説明】
【０１０５】
３１  赤外線受光部
３２  リモコンキー信号受信部
３３  ウェブサイト接続部
３４  ネットワークモジュール
３５  ウェブ文書ダウンロード部
３６  ウェブ文書パーシング部
３７  画像情報生成部
３８  表示部
３９  リンク表示情報生成部
３１０  入力表示情報生成部
３１１  入力窓活性化部
３１２  作業処理部
３２１  一般キー信号受信部
３２２  リンクキー信号受信部
３２３  入力キー信号受信部
【図１】
2006031713.tif 000003
【図２】
2006031713.tif 000004
【図３】
2006031713.tif 000005
【図４】
2006031713.tif 000006
【図５】
2006031713.tif 000007
【図６】
2006031713.tif 000008
【図７】
2006031713.tif 000009
【図８】
2006031713.tif 000010
【図９】
2006031713.tif 000011
【図１０】
2006031713.tif 000012
【図１１】
2006031713.tif 000013